(57)【要約】【課題】小型で取り扱い易いサイクロン分離式の集塵部を備えた電気掃除機を実現する。【解決手段】塵埃を遠心分離して捕捉するサイクロン分離筒１０４と第１の補助フィルター１０６を内部に有する集塵ケース１０５を着脱可能に並べて掃除機本体１の下ケース１０１に装着し、内筒１３１は筒部１３４と、この筒部１３４に螺旋状に巻き付いた隔壁１３２と、入口管１１５と前記筒部１３４を結ぶ案内壁１３７とで構成し、サイクロン分離筒１０４の排気と集塵ケース１０５の排気を合わせて、電動送風機に流入させた。【選択図】  図２
2004255119.tif 000002
【特許請求の範囲】
【請求項１】
含塵空気から塵埃を分離する分離室の下部に、含塵空気を流し入れる入口部と、分離室の上部に、分離室の側面に置いた集塵ケースに至る連通口とを設けた電気掃除機において、
この分離室の内部に下から上への流れを形成する案内板を設けたことを特徴とする電気掃除機。
【請求項２】
含塵空気を遠心分離により除塵するサイクロン分離筒の下部に、含塵空気を流し入れる入口部と、このサイクロン分離筒の上部に、サイクロン分離筒の側面に置いた集塵ケースに至る連通口とを設けた電気掃除機において、
このサイクロン分離筒の内部に設けた内筒の筒部に、螺旋状の隔壁を設けたことを特徴とする電気掃除機。
【請求項３】
請求項２において、
螺旋状の隔壁をサイクロン分離筒入口部の連通口よりも上側まで配置したことを特徴とする電気掃除機。
【請求項４】
含塵空気を遠心分離により除塵するサイクロン分離筒の下部でかつ、掃除機本体の背面側から含塵空気を流し入れる入口部と、このサイクロン分離筒から除塵した空気を排気する排気口を前記サイクロン分離筒下部に設け、このサイクロン分離筒の上部に、サイクロン分離筒の側面に置いた集塵ケースに至る連通口を設け、前記集塵ケースにはフィルターを内蔵し、該フィルターを通過した空気と、前記排気口とから流出した空気とが合流して、掃除機本体の背面側に連通する流路構成を有する電気掃除機において、
この電気掃除機本体の左右方向の端側に、前記サイクロン分離筒の入口部を配置したことを特徴とする電気掃除機。
【請求項５】
請求項４において、
前記サイクロン分離筒の排気口と、前記集塵ケースに内蔵した第１のフィルターを通過した空気とが、連通する第２のフィルターを、前記サイクロン分離筒の下流に設けた電動送風機の間に設けるとともに、この第２のフィルターの内、前記サイクロン分離筒の排気口付近に設けた前記第２のフィルターの奥行き方向長さを、前記第１のフィルター付近の前記第２フィルターの奥行き方向長さに比べ、長くしたことを特徴とする電気掃除機。
【発明の詳細な説明】
【０００１】
【発明の属する技術分野】
本発明は、電気掃除機に関する。
【０００２】
【従来の技術】
一般的な電気掃除機は、吸口から吸い込んだ含塵空気を掃除機本体に導き、この掃除機本体内の集塵部を通して除塵し、除塵によって清浄になった空気を掃除機本体外に排気する構成である。集塵部は、紙フィルターによる濾過によって塵埃を捕捉して除塵し、または、サイクロン分離筒による遠心分離によって塵埃を捕捉して除塵する構成である。
【０００３】
サイクロン分離式の集塵部を備えた電気掃除機は、特許文献１に記載されている。この電気掃除機における集塵部は、１つのサイクロン分離筒による遠心分離によって塵埃を捕捉して除塵する構成である。
【０００４】
また、電気掃除機におけるサイクロン分離式の集塵部として、特許文献２に記載された塵埃分離装置は、サイクロン分離筒を外側分離筒と内側分離筒の２重構造に構成し、外側分離筒内で粗大塵を遠心分離して除塵し、内側分離筒内で微細塵を遠心分離して除塵することを提案している。
【０００５】
【特許文献１】
特開２００１−２９２８８号公報
【特許文献２】
特表平１０−５１１８８０号公報
【０００６】
【発明が解決しようとする課題】
一般家庭で使用する電気掃除機は、小型で取り扱い易いことが重要であり、集塵部の小型化と捕捉した塵埃廃棄操作の簡易化が必要である。
【０００７】
１つのサイクロン分離筒によって塵埃を捕捉する集塵部は、粗大塵と微細塵を一緒に捕捉しているので、捕捉塵埃を廃棄するときに微細塵が飛散し易く、塵埃廃棄操作が面倒である。また、塵埃捕捉（集塵＝除塵）性能を高めようとすると、サイクロン分離筒が長くなって大型化してしまう。
【０００８】
内外２重分離筒構造のサイクロン分離式の塵埃分離装置（集塵部）は、外側分離筒と内側分離筒を一体的に組み合わせた構成であることから、小型で取り扱い易い形態に構成することが困難である。一般的な家庭における使用では、粗大塵が多量に捕捉されて該粗大塵を廃棄するための操作頻度が高くなるが、内外２重分離筒構造の集塵部は、粗大塵を捕捉している外側分離筒のみを取り出して該粗大塵のみを廃棄操作することができない。
【０００９】
本発明の１つの目的は、小型で取り扱い易いサイクロン分離式の集塵部を備えた電気掃除機を提案することにある。
【００１０】
本発明の他の目的は、小型で塵埃捕捉（集塵）性能が高いサイクロン分離式の集塵部を備えた電気掃除機を提案することにある。
【００１１】
本発明の更に他の目的は、捕捉した微細塵を飛散しないように確実に保持しておくことができるサイクロン分離式の集塵部を備えた電気掃除機を提案することにある。
【００１２】
【課題を解決するための手段】
本発明は、含塵空気から塵埃を分離する分離室の下部に、含塵空気を流し入れる入口部と、分離室の上部に、分離室の側面に置いた集塵ケースに至る連通口とを設けた電気掃除機において、この分離室の内部に下から上への流れを形成する案内板を設けたことを特徴とする。
【００１３】
また、サイクロン分離筒の下部に、含塵空気を流し入れる入口部と、このサイクロン分離筒の上部に、サイクロン分離筒の側面に置いた集塵ケースに至る連通口とを設けた電気掃除機において、このサイクロン分離筒の内部に設けた内筒の筒部に、螺旋状の隔壁を設けたことを特徴とする。
【００１４】
また、螺旋状の隔壁をサイクロン分離筒入口部の連通口よりも上側まで配置したことを特徴とする。
【００１５】
含塵空気を遠心分離により除塵するサイクロン分離筒の下部でかつ、掃除機本体の背面側に含塵空気を流し入れる入口部と、このサイクロン分離筒から除塵した空気を排気する排気口を前記サイクロン分離筒下部に設け、このサイクロン分離筒の上部に、サイクロン分離筒の側面に置いた集塵ケースに至る連通口を設け、前記集塵ケースにはフィルターを内蔵し、該フィルターを通過した空気と、前記排気口とから流出した空気とが合流して、掃除機本体の背面側に連通する流路構成を有する電気掃除機において、この電気掃除機本体の左右方向の端側に、前記サイクロン分離筒の入口部を配置したことを特徴とする。
【００１６】
さらに、サイクロン分離筒の排気口と、前記集塵ケースに内蔵した第１のフィルターを通過した空気とが、連通する第２のフィルターを、前記サイクロン分離筒の下流に設けた電動送風機の間に設けるとともに、この第２のフィルターの内、前記サイクロン分離筒の排気口付近に設けた前記第２のフィルターの奥行き方向長さを、前記第１のフィルター付近の前記第２フィルターの奥行き方向長さに比べ、長くしたことを特徴とする。
【００１７】
【発明の実施の形態】
本発明の第１の実施の形態を図面を参照して説明する。図１は、本発明の一実施の形態を示す電気掃除機の外観斜視図である。図２は、その掃除機本体の斜視図である。図３は、その掃除機本体の上蓋を開いた状態を示す斜視図である。図４は、その掃除機本体の集塵ケースを取り除いた状態を示す斜視図である。図５は、その掃除機本体の集塵ケースとサイクロン分離器を取り除いた状態を示す斜視図である。図６は、上蓋と上ケースを取り除いた横平面図である。図７は、その掃除機本体内の空気の流れを示す模式図である。
【００１８】
この実施の形態における電気掃除機は、図１に示すように、掃除機本体１とホース２と手元操作管３と伸縮継ぎ手管４と吸口５を備え、掃除機本体１と手元操作管３をホース２で接続し、この手元操作管３に伸縮継ぎ手管４を介して吸口５を接続して使用する。
【００１９】
掃除機本体１は、電動送風機（後述する）を内蔵し、この電動送風機の吸気力によって吸口５から吸気することによって該吸気流に乗せて塵埃を吸い込み、吸い込んだ含塵空気を伸縮継ぎ手管４と手元操作管３とホース２を介して掃除機本体１に吸い込ませ、サイクロン分離式の集塵部（後述する）で除塵（集塵）した後に機外に排気する。
【００２０】
掃除機本体１は、図２〜図６に示すように、下ケース１０１と上蓋１０２の間にサイクロン分離筒１０４と集塵ケース１０５を着脱可能に装着し、下ケース１０１と上ケース１５０の間に第２の補助フィルター１１２と電動送風機１０７とコードリール１１０とを内蔵する。
【００２１】
この掃除機本体１は含塵空気をホース２を介して、図７に示すように、入口管１１５より、サイクロン分離筒１０４に流し入れて旋回させることにより遠心分離作用で塵埃を分離して、上部の連通口１１７を通して集塵ケース１０５に塵埃を搬送し、サイクロン分離筒１０４からの排気は内筒１３１を通って、サイクロン分離筒１０４の下部に設けた排気口１２０に排気される。また、一部の空気は集塵ケース１０５に流れ込み、第１の補助フィルター１０６によって塵埃を捕捉する。集塵ケース１０５の排気は第１の補助フィルター１０６の後方のサイクロン部流出口１４６から第２の補助フィルター１１２を通って電動送風機１０７に吸込ませる。この時サイクロン分離筒１０４からの排気も前記排気口１２０から連絡通路１４５を通過し、前記サイクロン部流出口１４６を流出し、前記集塵ケース１０５の排気と合せて電動送風機１０７に吸込ませる。この電動送風機１０７からの排気をフィルター１０８を介して、一部は排気流路（図示せず）を介し、一部はコードリール１１０に流してこれらを冷却し、その後に機外に放出させる。
【００２２】
下ケース１０１は、この掃除機本体１を床面に走行させるための走行車輪２０８と案内車輪（図示せず）を備え、サイクロン分離筒１０４と集塵ケース１０５を独立して着脱可能に並べて縦置きに装着し、更に、第２の補助フィルター１１２を並べて設置する。
【００２３】
上蓋１０２は、上ケース１５０の上側後部に転回可能に取り付け、閉じた状態でサイクロン分離筒１０４の入口管１１５とホース接続口部１１６とが気密状態に当接し、サイクロン分離筒１０４の連通口１１７と集塵ケース１０５の上部開口１１８とが気密状態に当接するように付勢し、また、サイクロン分離筒１０４の下部の排気口１２０と集塵ケース１０５の下部に設けた連絡通路１４５とが気密状態に当接し、サイクロン部流出口１４６と第２の補助フィルター１１２が収納されるフィルターケース１１３との間を気密状態に当接するように付勢する。サイクロン分離筒１０４の軸方向は鉛直方向を向いているが、鉛直方向でなく斜め方向に傾いていてもかまわない。
【００２４】
集塵ケース１０５の上部の取っ手１２３を持って、集塵ケース１０５を取り出すことができ、集塵ケース１０５内の第１の補助フィルター１０６を開けることによって、集塵ケース１０５内の塵埃を廃棄する。
【００２５】
さらに、サイクロン分離筒１０４の内部が汚れた場合には、上部の取っ手１２５を持って、下ケース１０１から持ち上げ、サイクロン分離筒１０４を分解して清掃することができる。
【００２６】
ここで、サイクロン分離筒１０４の内表面または、集塵ケース１０５の内表面にクリヤー系ＵＶ硬化型コーティング処理している。このため、前記サイクロン分離筒１０４内に塵埃が流入し、塵埃が遠心分離され、前記集塵ケース１０５に流入する際に、このサイクロン分離筒１０４内の表面や、集塵ケースの内面に塵埃が衝突し、こすれた場合でも、表面に傷が入りにくく、汚れを付着しにくくするととともに耐擦性，耐汚染性を向上させることができる。このため、サイクロン分離筒１０４の外筒１３５や、集塵ケース１０５を透明のプラスチック材で製作した場合でも、塵埃のたまり具合を目視で確認することができる。
【００２７】
また、サイクロン分離筒１０４や、集塵ケース１０５を帯電防止樹脂剤を用いて成形したり、表面に帯電防止剤を塗布することにより、前記サイクロン分離筒１０４や、集塵ケース１０５に塵埃が付着しにくくなり、清掃回数を減らすことができる。
【００２８】
次に、図６を参照して、電気掃除機本体１内部の配置について説明する。図６は上ケース１５０と上蓋１０２を取り外した状態の平面図である。ホース接続口部１１６は上方から見て本体１の幅方向の中央にあり、かつ、前記本体１の前面に配置している。サイクロン分離筒１０４の中心軸は幅方向の中央からずらして位置し、サイクロン分離筒１０４の略接線方向に空気を流入させる入口管１１５とホース接続口部１１６が直線状になるように配置されている。また、集塵ケース１０５はサイクロン分離筒１０４の中心軸とは幅方向の反対側に設置される。同様に、電動送風機１０７はサイクロン分離筒１０４の中心軸とは幅方向の反対側に設置され、その前面には第２の補助フィルター１１２が設けられている。コードリール１１０は電動送風機１０７の横に設置され、幅方向でサイクロン分離筒１０４の中心軸を同じ方向に設置されている。
【００２９】
このように配置したことで、本体の長さを短くでき、小型軽量を達成できる。また、サイクロン分離筒１０４の入口部分に曲りなどを設ける必要が無いため、損失を小さくできる効果が得られる。
【００３０】
ここで、前記サイクロン分離筒１０４で遠心分離された塵埃が連通口１１７を通じてサイクロン分離筒１０４から流出する方向は、サイクロン分離筒１０４内での旋回方向で、かつ、サイクロン分離筒１０４の接線方向である。このため、本実施の形態では、サイクロン分離筒１０４の連通口１１７と、この連通口１１７と連通する集塵ケース１０５の上部開口１１８の両者を、前記集塵ケース１０５内の開閉する第１の補助フィルター１０６から最も離れた電気掃除機本体１の前面側（ホース接続口部１１６側）に配置することができる。ここで、サイクロン分離筒１０４で遠心分離された塵埃は、開閉する第１の補助フィルター１０６付近から堆積し、サイクロン分離筒１０４の連通口１１７と、この連通口１１７と連通する集塵ケース１０５の上部開口１１８側へと、順に堆積していくので、前記集塵ケース１０５に塵埃が充填されるまで、塵埃が前記連通口１１７と前記上部開口１１８を塞ぎにくい。つまり、前記集塵ケース１０５の容積を有効利用することができる。
【００３１】
ここで、サイクロン分離筒１０４と集塵ケース１０５の詳細について、図８から図１４を参照して説明する。図８はサイクロン分離筒１０４の外観斜視図、図９は集塵ケース１０５の外観斜視図、図１０は図６のＡ−Ａ断面図、図１１はサイクロン分離筒１０４の入口管部分を含む断面図、図１２はサイクロン分離筒１０４と集塵ケース１０５の連通口１１７を含む断面図、図１３は集塵ケース１０５を排気側から見たときの側面図、図１４は内筒１３１の斜視図である。
【００３２】
サイクロン分離筒１０４の外筒１３５にはその空気取り入れ口である入口管１１５が、このサイクロン分離筒１０４の中心軸方向長さの中央より下部に設けられ、略円筒形をなすサイクロン分離筒１０４の略接線方向に空気が入るように設置されている。サイクロン分離筒１０４の中央より上部に連通口１１７が設けられ、集塵ケース１０５に塵埃とともに空気を流入させる。サイクロン分離筒１０４の下部には内筒１３１が設けられ、下部の排気口１２０につながっている。内筒１３１は筒部１３４と、この筒部１３４に螺旋状に巻き付いた隔壁１３２と、入口管１１５と前記筒部１３４を結ぶ案内壁１３７とで構成され、筒部１３４には網フィルター１３３として樹脂繊維性の網を筒部１３４と一体にインサート成形により構成している。網フィルター１３３は図１０に示すように、側面の円筒部分に構成してもよく、また、筒部の上平面と側面の円筒部分を合せて構成してもかまわない。ここでは、前記網フィルター１３３は、前記内筒１３１の側面の円筒部分全周に設けるのではなく、前記入口管１１５付近のおよそ９０度程度は、前記網フィルター１３３と開口部を設けていない。このため、前記入口管１１５から髪の毛などの細い塵埃が流入しても、前記網フィルター１３３に直接当たることを防げ、刺さったりして絡み付くことを防ぐことができる。さらに、前記入口管１１５から針などの尖った塵埃が流入した場合にも、前記網フィルター１３３に直接当たることが無いので、前記網フィルター１３３が破れ、塵埃が流出することを防げる。
【００３３】
また、網フィルター１３３は前記内筒１３１の内向きに力を受けるので、前記網フィルターの内径側に内筒のリブ１３６を設ければ良い。ここで、網フィルター１３３に帯電防止処理を施すと、前記網フィルター１３３に付着した塵埃が離れやすく、清掃が容易にできる。
【００３４】
また、サイクロン分離筒１０４の外筒１３５にはその空気取り入れ口である入口管１１５が、このサイクロン分離筒１０４の中心軸方向長さの中央より下部に設けられているので、前記入口管１１５に連通するホース接続口部１１６も、サイクロン分離筒１０４の中心軸方向長さの中央より下部に配置することができる。このため、前記ホース接続口部１１６は、掃除機本体１の下部に配置することができるので、前記掃除機本体１を、前記ホース２を介して手元操作管３で引き回した場合、前記掃除機本体１が転倒しにくく、安定して引き回す事ができる。
【００３５】
さらに、前記ホース接続口部１１６を前記掃除機本体１の下側に配置できるので、上蓋１０２に前記ホース接続口部１１６を配置する必要が無く、集塵ケース１０５や、サイクロン分離筒１０４を前記掃除機本体１から取出す時に、前記ホース２を取り付けたままでも容易に、前記上蓋１０２を開閉することができる。
【００３６】
ここで、前記内筒１３１の隔壁１３２は、サイクロン分離筒１０４内の空気の流れを上方に持上げるように、巻き開始位置１３８から螺旋状に上方に持ち上がっている。このため、入口管１１５からサイクロン分離筒１０４に流入した塵埃は、この螺旋状の隔壁１３２に沿って上昇するとともに、前記サイクロン分離筒１０４内を旋回し、遠心分離され、連通口１１７、上部開口１１８通じ、集塵ケース１０５へと搬送される。このように、前記隔壁１３２を螺旋状に上方に持上げているので、塵埃は前記サイクロン分離筒１０４内を上昇する強い作用を与えられ、ＤＣコードレス掃除機などの毎分１立方メートル以下の低風量で動作する掃除機でも、塵埃を集塵ケース１０５へ搬送することが可能である。ここでは、サイクロン分離筒１０４の軸方向は水平方向ではないので、上述の低風量時に、前記サイクロン分離筒１０４内に流入した比重の大きい塵埃が旋回の途中で、旋回できずに落下し、サイクロン分離筒１０４に何度も衝突することを防げ、サイクロン分離筒１０４の傷つきや、破損を防ぐことができる。
【００３７】
なお、案内壁１３７の高さＨは、入口管１１５の高さＬよりも大きくしている。このため、入口管１１５から流入した空気流れと、サイクロン分離筒１０４内を旋回した空気流れが、干渉や、混合しにくく、これらに付随する乱れを防ぐとともに、流入時の急拡大も防げ、損失を低減することができる。また、入口管１１５の断面形状を周囲の角が取れた略長方形の形状とすれば、入口管１１５からサイクロン分離筒１０４に空気流れが流入する際、外筒１３５の壁と内筒１３１の隔壁１３２に沿って流入できるので、円形断面の入口管１１５の場合に比べて、サイクロン分離筒１０４に流入する際の急拡大による流れの損失を低減できる。
【００３８】
また、上記のように、入口管１１５の断面形状を略長方形の形状とした場合、ホース２の接続部２ａの断面形状をホース側の円形から、入口管１１５の断面形状である略長方形の形状へと緩やかに形状変化することにより、流れの剥離などによる損失を抑えて、サイクロン分離筒１０４に流れを流入することができる。
【００３９】
サイクロン分離筒１０４は外筒１３５と内筒１３１と排気口１２０を形成する部材とに分離され、それぞれが着脱自在に嵌着し、それぞれの部材は気密を保って当接している。なお、気密状態の当接を実現するために、当接部間には弾性シール部材を介在させると良い。サイクロン分離筒１０４の清掃は、外筒１３５と内筒１３１と排気口１２０を形成する部材をそれぞれ別々に分離して行うことにより可能である。
【００４０】
集塵ケース１０５には、サイクロン分離筒１０４の連通口１１７に対向する位置に上部開口１１８が設けられ、両者は気密状態を保って当接している。集塵ケース１０５の排気側には、フィルター枠１４０に取り付けられた第１の補助フィルター１０６が設けられている。フィルター枠１４０はその両面が開口となっていて、下部に設けた軸部を中心として回動するように設けられ、フィルター枠１４０が閉まったときには、集塵ケース１０５の本ケース１４１とフィルター枠１４０は気密状態を保って当接している。
【００４１】
ゴミ捨て時には、集塵ケース１０５上部の取っ手１２３を持って、集塵ケース１０５を持ち上げ、フィルター枠１４０を止めているクランプ部と一体になっているレバー１４２を押して、フィルター枠１４０を開いて行う。第１の補助フィルター１０６の清掃は、フィルター枠１４０から第１の補助フィルター１０６を取り出して洗うなどして行うことができる。
【００４２】
第１の補助フィルター１０６は発泡性の洗える素材のウレタンでできたスポンジ、あるいは、洗える不織布、あるいは、洗えるろ紙材などを用いるのが望ましい。
【００４３】
第１の補助フィルター１０６や、第２の補助フィルター１１２に帯電防止処理を施すと、第１の補助フィルター１０６や、前記第２の補助フィルター１１２に付着した塵埃が離れやすく、清掃が容易にできる。
【００４４】
集塵ケース１０５の下部には連絡通路１４５とサイクロン部流出口１４６が一体に設けられている。従って、この集塵ケース１０５は、本ケース１４１と連絡通路１４５とフィルター枠１４０の下部の部分のサイクロン部流出口１４６とに分けられるが、両者の接合する部分は気密を保って当接するようになっている。また、サイクロン分離筒１０４の排気口１２０とも気密を保って当接している。
【００４５】
フィルター枠１４０は電動送風機１０７の前に設けられた第２の補助フィルター１１２を収納するフィルターケース１１３とも気密を保って当接している。以上説明してきた、気密状態の当接を実現するために、当接部間には弾性シール部材を介在させると良い。
【００４６】
このように構成した掃除機本体１は、電動送風機１０７を運転すると、その吸気力によって、サイクロン分離筒１０４の入口管１１５から該サイクロン分離筒１０４内に含塵空気が流入して該サイクロン分離筒１０４内で旋回することにより塵埃を遠心分離して該サイクロン分離筒１０４内の上の方に持ち上げ、集塵ケース１０５側に搬送する。除塵された空気は、サイクロン分離筒１０４の内筒１３１から網フィルター１３３を通って排気口１２０に流れ出る。この網フィルター１３３は、繊維塵や、紙などの塵埃が吹き抜けるのを防止するように機能する。
【００４７】
排気口１２０からの空気は連絡通路１４５、サイクロン部流出口１４６を介して、第２の補助フィルター１１２へと流れる。
【００４８】
サイクロン分離筒１０４の連通口１１７からの塵埃を含んだ空気は集塵ケース１０５の上部に設けられた上部開口１１８より集塵ケース１０５に流入し、第１の補助フィルター１０６で空気中の塵埃がせき止められ、第１の補助フィルター１０６の手前で堆積していく。該第１の補助フィルター１０６を通過した空気は第２の補助フィルター１１２側に流れていく。
【００４９】
第１の補助フィルター１０６の除塵性能はそのフィルター材の能力で決定されるが、μｍオーダーの塵埃までを分離できる能力を持たせると良い。しかし、除塵能力を高くしすぎると目詰まりも早くなり易いので、全体の除塵能力との兼ね合いで決定するのが望ましい。
【００５０】
掃除機本体１内に入ってきた塵埃は、そのほとんどが集塵ケース１０５内に溜められるので、ごみ捨ては集塵ケース１０５を掃除機本体１からとり取り出して除塵すれば良い。ごみ捨ては集塵ケース１０５より塵埃があふれないうちに行うのが望ましい。このため、集塵ケース１０５には、図９に示すように上部開口１１８に対抗する位置にごみ捨てライン１５５を設けておき、使用者がこれを参考にごみ捨てを行えるようにしている。ごみ捨てライン１５５は、水平あるいは鉛直を向いているのではなく、集塵ケース１０５内にごみが溜まっていく時には、上部開口１１８に近接した部分が最後にごみで埋まるので、ごみのたまり具合から斜めに傾斜して設定している。
【００５１】
なお、本実施の形態では、掃除機本体１内の空気の流れを図７に示すように２つの経路に分けているので、集塵ケース１０５内の塵埃には空気の流れ方向に圧力差を生じ、この圧力差によって塵埃が常時圧縮される。この圧力差は、溜められた塵埃が多くなるほど大きくなるので、塵埃が多くなればなるほど圧縮量が多くなるという特徴を併せ持っている。集塵ケース１０５内の塵埃は、第１の補助フィルター１０６の手前で層状に堆積していき、かつ微細な粉塵も一緒に堆積していく。このため、繊維塵の間に粉塵がまぎれ込んでいくので、ごみ捨て時に粉塵が舞い上がりにくくなるという効果も得られる。
【００５２】
さらに、サイクロン分離器１０４の排気口１２０を通過する空気風量が、集塵ケース１０５を空気が通過しないときに比べて、少なくなるので、サイクロン分離器１０４の抵抗を小さくできる。従って、掃除機の吸込仕事率をより大きくすることができるという特徴を持っている。
【００５３】
また、サイクロン分離筒１０４内で、サイクロン分離筒１０４の入口管１１５から該サイクロン分離筒１０４内に含塵空気が流入して該サイクロン分離筒１０４内で旋回することにより塵埃を遠心分離して該サイクロン分離筒１０４内の上の方に持ち上げ、集塵ケース１０５側に搬送する。この際、前記サイクロン分離筒１０４から、前記集塵ケース１０５を通じて第１の補助フィルター１０６から排気される空気の流れが有るため、前記サイクロン分離筒１０４で遠心分離された塵埃は、前記集塵ケース１０５側へ流入しやすくなり、塵埃は前記集塵ケース１０５側へ瞬間分離されるので、捕塵効率を高くできる。
【００５４】
さらに、前記サイクロン分離筒１０４で遠心分離され、前記集塵ケース１０５側へ搬送された塵埃は、前記サイクロン分離筒１０４へ逆流しにくいので、前記集塵ケース１０５側へ搬送された塵埃が再飛散すること無く、捕塵効率を高くすることができる。
【００５５】
さらに、内筒１３１の網フィルター１３３に塵埃が付着した場合には、サイクロン分離筒１０４から除塵した空気を排気する排気口１２０から排気される空気風量が減少するため、第１の補助フィルター１０６を通過した前記集塵ケース１０５からの排気口である集塵ケース排気口１４４の空気風量が増加する。このため、前記内筒１３１の前記網フィルター１３３に付着した塵埃は、集塵ケース１０５に搬送されるという特徴をもつ。
【００５６】
また、前記集塵ケース１０５から、第１の補助フィルター１０６を通過した前記集塵ケース１０５からの排気口である集塵ケース排気口１４４の断面積を、サイクロン分離筒１０４から除塵した空気を排気する排気口１２０の断面積より大きくしている。このため、第１の補助フィルター１０６の断面積を大きくすることができ、前記第１の補助フィルター１０６を通過する空気の流速を小さくすることができる。このため、前記第１の補助フィルター１０６からの塵埃の吹き抜けを低減できる。さらに、前記第１の補助フィルター１０６を空気が通過する際の圧力損失を低減できるので、掃除機の吸込仕事率をより大きくすることができるという特徴を持っている。
【００５７】
ここで、サイクロン分離筒１０４の連通口１１７の下流側端部１１９をＲ形状としたり、滑り性の良い（低摩擦係数）の部材を貼りつけることにより、前記下流側端部１１９での塵埃のひっかりを防止することができる。また、前記下流側端部１１９の上方側を集塵ケース１０５からの排気口である第１の排気口１４４側に傾けた場合（連通口１１７の開口部を上方の方が広くした場合）、連通口１１７の下流側端部１１９に塵埃が引っかかったとしても、塵埃は前記下流側端部１１９の上方側へ移動し、この移動中にサイクロン分離筒１０４から集塵ケース１０５への空気の流れによって、前記連通口１１７の下流側端部１１９から引き剥がされやすくできる。
【００５８】
また、集塵ケース１０５内に溜まる塵埃の量が増えると、集塵ケース１０５を通過するときの抵抗が増えるので、集塵ケース内を流れる流量が低下する。従って、臭いを発生させ易い塵埃が多いときにはその部分を通過する空気の量が減り、臭いを掃除機外に出しにくくなるという効果もある。
【００５９】
また、連絡通路１４５，サイクロン部流出口１４６内が汚れたときも、集塵ケース１０５を取り出した状態で簡単に清掃することができる。
【００６０】
また、サイクロン分離器１０４の入口管１１５と内筒１３１を下に設けたので、上部にサイクロン分離筒１０４の連通口１１７と集塵ケース１０５の上部開口１１８を設けることができ、集塵ケース１０５に入った塵埃は、重力で下に落ちるので、サイクロン分離筒１０４へのこぼれを防止できる。
【００６１】
また、集塵ケース１０５の上部開口１１８は、前記集塵ケース１０５の前方に配置しているので、掃除機本体１を立てて収納する時には、前記集塵ケース１０５の上部開口１１８は、前記集塵ケース１０５の上方に配置していることとなるので、前記集塵ケース１０５に入った塵埃が、前記サイクロン分離筒１０４へこぼれるのを防止できる。
【００６２】
また、集塵ケース１０５をサイクロン分離筒１０４の側面に配置しているので、掃除機本体１の高さを高くすることなく、サイクロン分離筒１０４の長さ方向を長くできるので、旋回流によるごみの分離能力を高くできるという特徴を持っている。
【００６３】
なお、入口管１１５付近に、電動送風機１０７が停止した場合に入口管１１５を塞ぎ、前記電動送風機１０７を運転した場合には、前記入口管１１５と前記サイクロン分離筒１０４を連通するように、前記サイクロン分離筒１０４内に配置した内筒１３１の案内壁１３７側へ回動する弁を設けてもかまわない。この場合、電動送風機１０７の運転を停止し、サイクロン分離筒１０４を取出した時の塵埃のこぼれを防止することができる。
【００６４】
なお、図１５に示すようにサイクロン分離筒１０４と集塵ケース１０５を一体に設けても良く、この場合、ゴミ捨て時に手で持つ質量は大きくなり、取り扱い性は低下するが、サイクロン分離筒１０４と集塵ケース１０５との間、排気口１２０と連絡通路１４５間が一体となって構成されるので、完全な気密が保たれるので、漏れなどによる損失の増加を抑えることができ、吸込仕事率をより高くすることができるとともに、塵埃の漏れやこぼれを抑制できる。
【００６５】
また、連絡通路１２０、連絡通路１４５、および連絡口１４６を下ケース１０１と当接する別部材の部品で構成しても良いが、連絡通路内が汚れたときに簡単に清掃ができないという面はあるものの、全体の気密を保つ個所を減らすことができる。また、気密を保つ方向を上下方向でできるので、気密が保ち易い特徴を持たせることができる。
【００６６】
なお、含塵空気から塵埃を分離する分離室をサイクロン分離筒１０４として、述べてきたが、前記分離室はサイクロン分離筒１０４に限らず、この分離室の下部に含塵空気を流し入れる入口部を設け、この分離室の上部に分離室の側面に置いた集塵ケースに至る連通口とを設け、この分離室の内部に下から上へと空気と塵埃を搬送する流れを形成する案内板を設けた電気掃除機とすれば、前記入口部に連通するホース接続口部も、前記分離室の高さ方向の中央より下部に配置することができる。このため、前記ホース接続口部は、掃除機本体の下部に配置することができるので、前記掃除機本体を、前記ホースを介して手元操作管で引き回した場合、前記掃除機本体が転倒しにくく、安定して引き回す事ができる。
【００６７】
以下、本発明の第２の実施の形態を図面に従い説明する。ここで、図１６は、本発明の一実施の形態を示すアップライト式電気掃除機の外観斜視図である。図１７は、図１６に示した電気掃除機における側面図である。ここでは、空気の流れを説明するために部分的に断面を示している。図１８は、サイクロン分離筒４０４と集塵ケース４０５が一体となった集塵部４６０の縦断面図である。ここでは、掃除機本体３０１の背面側から見た縦断面図である。図１９は、集塵部４６０を掃除機本体３０１の背面側から見た図である。図２０は、図１９のＢ−Ｂ断面を示す断面図である。
【００６８】
掃除機本体３０１には、床に向かって開口した吸口３０５を所定の角度範囲で回動可能に取り付けられており、該吸口３０５内には床面に面して回転ブラシ３０６が設けられている。この掃除機本体３０１には集塵部４６０が着脱自在に装着されている。集塵部４６０は、サイクロン分離筒４０４と、このサイクロン分離筒４０４の側方に配置した集塵ケース４０５と、前記集塵部４６０の掃除機本体３０１側にフィルター枠４４０とを備え、このフィルター枠４４０は回動自在に設けられている。電動送風機（図示せず）は、この電動送風機の回転軸の回転により吸口３０５内の回転ブラシ３０６と、電動送風機の送風機を駆動するため、前記吸口３０５の上方で、掃除機本体３０１の下部である前記集塵部４６０の下方に配置されている。この電動送風機の吸気力によって、前記吸口３０５から吸気し、該吸気流に乗せて塵埃を吸い込み、吸い込んだ含塵空気を継ぎ手管３０４とホース３０２を介してサイクロン分離筒４０４の側方にある集塵ケース４０５に集塵する。また、掃除機本体３０１の上部には使用者が把持する把持部３０３が設けられており、把持部３０３の操作によって電機掃除機が前後移動するようになっている。
【００６９】
この掃除機本体３０１は、含塵空気をホース３０２を介して入口管４１５より、サイクロン分離筒４０４に流し入れて旋回させることにより遠心分離作用で塵埃を分離して、上部の連通口４１７、上部開口４１８を通して集塵ケース４０５に塵埃を搬送する。サイクロン分離筒４０４からの排気は内筒４３１を通って、サイクロン分離筒４０４の下部に設けた排気口４２０を通じ、集塵ケース４０５の下部に設けた連絡通路４４５に排気される。また、一部の空気は集塵ケース４０５に流れ込み、第１の補助フィルター４０６によって塵埃を捕捉する。集塵ケース４０５の排気は第１の補助フィルター４０６を通じ、集塵ケース排気口４４４から排気され、第２の補助フィルター４１２を通って電動送風機に吸込ませる。この時サイクロン分離筒４０４からの排気も前記排気口４２０から連絡通路４４５を通過し、サイクロン部流出口４４６を流出し、前記第２の補助フィルター４１２を通って、前記集塵ケース４０５の排気と合せて電動送風機に吸込ませる。この電動送風機からの排気をフィルターを介した後に排気口３０７を通じ機外に放出させる。
【００７０】
サイクロン分離筒４０４の入口管４１５とホース接続口部４１６とが気密状態に当接し、サイクロン分離筒４０４と内筒４３１が弾性体シール４５１により気密状態に当接し、サイクロン分離筒４０４の下部の排気口４２０と連絡通路４４５とが弾性体シール４５２により気密状態に当接し、サイクロン部流出口４４６および集塵ケース排気口４４４とが、第２の補助フィルター４１２が収納される掃除機本体３０１との間を気密状態に当接するように付勢されている。フィルター枠４４０は、集塵ケース４０５と連絡通路４４５側と、掃除機本体３０１側に弾性体シール４５０を備えている。このため、集塵部４６０を掃除機本体３０１に取り付けた時に、この集塵部４６０と掃除機本体３０１が気密状態に当接するように付勢され、取り付けられている。ここで、前記掃除機本体３０１と前記集塵部４６０間の空気の出入りは、前記掃除機本体３０１の前後方向であるので、これらの気密状態は掃除機本体３０１の前後方向に力が加えられることにより発揮すればよく、気密を取り易いという特徴を持っている。ここでは、集塵部４６０を掃除機本体３０１に押し込んだときに、掃除機本体３０１に設けた止め具４６１により、集塵部４６０を掃除機本体３０１に固定して、気密状態を実現しており、塵埃の漏れやこぼれを抑制できる。
【００７１】
また、サイクロン分離筒４０４の軸方向は鉛直方向でなく斜め方向に傾いており、掃除機３０１の高さ方向を大きくせずに、サイクロン分離筒４０４の軸方向長さを長くでき、捕塵性能を向上することができる。
【００７２】
また、サイクロン分離筒４０４と集塵ケース４０５は、取っ手４２３を持ち、取り外しスイッチ４６２を押し、掃除機本体３０１から分離して取り出すことができる。集塵ケース４０５の排気側には、第１の補助フィルター４０６とフィルター枠４４０が設けられている。
【００７３】
第１の補助フィルター４０６の上流側には、塵埃の捕集量が多いスポンジなどのフィルター４０６ｂをフィルターケース４０６ａ内に入れて配置すれば、第１の補助フィルター４０６からの塵埃の吹き抜けが防げる。この時、フィルター４０６ｂはエーテル系の素材で作るなど、洗える素材であると、取り扱い上有利である。さらに、このフィルター４０６ｂの上流側に、フィルターケース４０６ａと一体にインサート成形した帯電防止処理を施した網フィルター４０６ｃを設けると、ゴミ捨て時に、第１の補助フィルターからの塵埃の剥離性が増すためゴミが落ち易く、好ましい。また、第１の補助フィルター４０６は、不織布や網フィルターなどを用いたフィルターを設置すれば、集塵ケース４０５からの塵埃の漏れをより防止できる。この不織布などで形成される第１の補助フィルター４０６はフィルター枠４４０に一体にインサート成形すると取り扱いが楽になる。
【００７４】
第２の補助フィルター４１２は襞折り状に折った不織布などを用いれば、フィルターの空気通過面積を大きく取れるので、通気抵抗を小さくでき、吸込仕事率を大きくできる。また、フィルターを通過する際の空気の流速を低減できるので、塵埃を捕塵する効率を向上することができる。
【００７５】
さらに、第２の補助フィルター４１２をサイクロン部流出口４４６側と、集塵ケース排気口４４４側に分割し、サイクロン部流出口４４６側のフィルターの襞折りの山高さを大きくすれば、サイクロン分離筒４０４からの排気が第２の補助フィルター４１２を通過する際の流速をさらに低減でき、通気抵抗を小さくできるとともに、サイクロン分離筒４０４で分離補集できなかった塵埃を効率よく捕塵することができる。
【００７６】
ホース接続口部４１６は上方から見て掃除機本体３０１の幅方向の中央にあり、かつ、前記掃除機本体３０１の背面に配置している。サイクロン分離筒１０４の中心軸は前記掃除機本体３０１の幅方向の中央からずらして位置し、サイクロン分離筒４０４の略接線方向に空気を流入させる入口管４１５は、集塵部４６０の端に配置されている。つまり、この集塵部４６０を掃除機本体３０１に取り付けた際、入口管４１５には、掃除機本体３０１の背面側でかつ、左右方向の端側から含塵空気が流入する。また、集塵ケース４０５は前記掃除機本体３０１の中心軸に対し、前記サイクロン分離筒４０４とは幅方向の反対側で、サイクロン分離筒４０４の側面に配置されている。また、集塵部４６０からの排気は、第１の補助フィルター４０６を通過した空気と、サイクロン部流出口４４６とから流出した空気とが合流して、掃除機本体の背面側に連通する流路構成である。このように配置したことで、本体の長さを短くでき、小型軽量を達成できる。
【００７７】
また、掃除機本体３０１の左右方向の中心軸に対し正面から見て左側にサイクロン分離筒４０４を配置し、右側に第１の補助フィルター４０６と、第２の補助フィルター４１２と、電動送風機の流入側とを配置すると、第２の補助フィルター４１２から電動送風機までの空気流路を短くできるので、摩擦による損失を低減することができる。この時には、吸口３０５内に配置した回転ブラシ３０６を駆動するためのタイミングベルトは、前記サイクロン分離筒４０４側である左側に配置すれば良い。なお、これらの右側に配置したものと、左側に配置した物を対称に入れ替えても同様の効果が得られる。
【００７８】
ここで、前記サイクロン分離筒４０４で遠心分離された塵埃が連通口４１７を通じてサイクロン分離筒４０４から流出する方向は、サイクロン分離筒４０４内での旋回方向で、かつ、サイクロン分離筒４０４の接線方向である。このため、本実施の形態では、サイクロン分離筒４０４の連通口４１７と、この連通口４１７と連通する集塵ケース４０５の上部開口４１８の両者を、前記集塵ケース４０５内の開閉する第１の補助フィルター４０６から最も離れた掃除機本体３０１の前面側（ホース接続口部４１６と反対側）に配置することができる。ここで、サイクロン分離筒４０４で遠心分離された塵埃は、開閉する第１の補助フィルター４０６付近から堆積し、サイクロン分離筒４０４の連通口４１７と、この連通口４１７と連通する集塵ケース４０５の上部開口４１８側へと、順に塵埃が圧縮されながら堆積していくので、前記集塵ケース４０５に塵埃が充填されるまで、塵埃が前記連通口４１７と前記上部開口４１８を塞ぎにくく、より多くの塵埃を蓄積できる。つまり、前記集塵ケース４０５の容積を有効利用することができる。
【００７９】
また、第１の補助フィルター４０６を集塵部４６０の中で、掃除機本体３０１の背面側に近い場所に取り付けたので、この第１の補助フィルター４０６のフィルター面積を、前記集塵部４６０の下部に設けるよりも大きくすることができるので、前記集塵部４６０の通気抵抗を小さくすることができ、損失を小さくすることができる。
【００８０】
ここで、集塵ケース４０５内にリブ４５６や、リブ４５７を配置して、前記集塵ケース４０５内に生成される渦を抑制している。このため、前記集塵ケース内４０５に流入した塵埃が、再びサイクロン分離筒４０４に流入するのを抑えることができる。塵埃がサイクロン分離筒４０４へ再飛散するのを抑えることができるので、捕塵効率を向上することができる。また、前記集塵ケース４０５の底面にリブ４５７を配置すれば、前記集塵ケース４０５の強度を向上することができる。このため、前記集塵ケース４０５が変形にしにくくすることができ、前記集塵ケース４０５内に集塵した塵埃が、連絡通路４４５側へこぼれるのを防ぐことができる。
【００８１】
本構成では、集塵ケース４０５内により多くの塵埃を溜めることができるので、ごみ捨ての周期を長くすることができる。また、塵埃中の繊維塵に砂とか土などの微細な粉塵が挟み込まれて圧縮されていくので、ゴミ捨て時に微細な粉塵が舞いあがりにくくなるという特徴を持っている。
【００８２】
集塵部４６０を掃除機本体３０１に取り付けた時には、連通口４１７と集塵ケース４０５の上部開口４１８は、前記掃除機本体３０１の前面側に配置できるので、上部開口４１８付近の位置にごみ捨てライン４５５を表示できる。このため、使用者が、見やすい位置である前記掃除機本体３０１の前面側に配置したごみ捨てライン４５５を参考に、ごみ捨てを行えるようにしている。ごみ捨てライン４５５は、集塵ケース４０５内にごみが溜まっていく時には、上部開口４１８に近接した部分が最後にごみで埋まるので、ごみのたまり具合から斜め傾斜した線で設定している。
【００８３】
ゴミ捨て時には、集塵部４６０の取っ手４２３を持って、取り外しスイッチ４６２を押し、掃除機本体３０１から前記集塵部４６０分離して取り出す。次に、フィルター枠４４０を止めているクランプ部と一体になっているレバー４４２を押すことにより、フィルター枠４４０の開閉軸４４３を回転軸として、前記フィルター枠４４０開いて行う。第１の補助フィルター４０６の清掃は、第１の補助フィルター４０６を洗うなどして行うことができる。このとき、集塵ケース４０５は掃除機本体３０１の前面側から背面側（フィルター枠４４０側）に向かって広がっているので、前記集塵ケース４０５内に溜まった塵埃を捨てやすく、前記塵埃が前記集塵ケース４０５に残りにくい。
【００８４】
また、フィルター類が目詰まりしたときには、第１の補助フィルター４０６を水洗いして、自然乾燥し、乾いた後に使用する。また、第２の補助フィルター４１２も取り出して、水洗いして、自然乾燥し、乾いた後に取り付ける。
【００８５】
なお、内筒４３１の網フィルター４３３は、前記内筒４３１をサイクロン分離筒４０４の外筒４３５から取り外して清掃し、清掃後に再び内筒４３３を取り付ける。このようにすると、集塵ケース４０５からあふれるほど塵埃を吸ったときなどに、サイクロン分離筒４０４内に塵埃が溜まるが、前記内筒４３１をサイクロン分離筒４０４の外筒４３５から取り外せば、この塵埃を容易に取り除くことができる。
【００８６】
内筒４３１は隔壁４３２と筒部４３４と案内壁４３７で構成され、筒部４３４には網フィルター４３３として樹脂繊維性の網を筒部４３４と一体にインサート成形により構成している。網フィルター４３３は、側面の円筒部分に構成してもよく、また、筒部の上平面部分に構成してもよく、筒部の上平面と側面の円筒部分を合せて構成してもかまわない。ここでは、前記網フィルター４３３は、前記内筒４３１の側面の円筒部分全周に設けるのではなく、前記入口管４１５付近のおよそ９０度程度は、前記網フィルター４３３と開口部を設けていない。このため、前記入口管４１５から髪の毛などの細い塵埃が流入しても、前記網フィルター４３３に直接当たることを防げ、刺さったりして絡み付くことを防ぐことができる。
【００８７】
また、網フィルター４３３は前記内筒４３１の内向きに力を受けるので、前記網フィルターの内径側に内筒のリブ４３６を設ければ良い。ここで、網フィルター４３３に帯電防止処理を施すと、前記網フィルター４３３に付着した塵埃が離れやすく、清掃が容易にできる。
【００８８】
ここで、内筒４３１の隔壁４３２は、サイクロン分離筒４０４内の空気の流れを上方に持上げるように、前記サイクロン分離筒４０４内の旋回の巻き方向に螺旋状に持ち上がるように形成している。このため、入口管４１５からサイクロン分離筒４０４に流入した塵埃は、この螺旋状の隔壁４３２に沿って上昇するとともに、前記サイクロン分離筒４０４内を旋回し、遠心分離され、連通口４１７、上部開口４１８通じ、集塵ケース４０５へと搬送される。このように、前記隔壁４３２を螺旋状に上方に持上げているので、低風量で動作する掃除機でも、塵埃は前記サイクロン分離筒４０４内を上昇する強い作用を与えられ、塵埃を集塵ケース５０５へ搬送することが可能であり、塵埃の分離性能を向上することができる。
【００８９】
なお、案内壁４３７の高さは、入口管４１５の高さよりも大きくしている。このため、入口管４１５から流入した空気流れと、サイクロン分離筒４０４内を旋回した空気流れが、干渉や、混合しにくく、これらに付随する乱れを防ぐとともに、流入時の急拡大も防げ、損失を低減することができる。また、入口管４１５の断面形状を周囲の角が取れた略長方形の形状とすれば、入口管４１５からサイクロン分離筒４０４に空気流れが流入する際、外筒４３５と内筒４３１の隔壁４３２に沿って流入でき、流れの乱れによる損失を低減できる。
【００９０】
ここで、サイクロン分離筒４０４の内表面または、集塵ケース４０５の内表面にクリヤー系ＵＶ硬化型コーティング処理している。このため、前記サイクロン分離筒４０４内に塵埃が流入し、塵埃が遠心分離され、前記集塵ケース４０５に流入する際に、このサイクロン分離筒４０４内の表面や、集塵ケースの内面に塵埃が衝突し、こすれた場合でも、表面に傷が入りにくく、汚れを付着しにくくするととともに耐擦性，耐汚染性を向上させることができる。このため、サイクロン分離筒４０４の外筒４３５や、集塵ケース４０５を透明のプラスチック材で製作した場合でも、塵埃のたまり具合を目視で確認することができる。
【００９１】
また、サイクロン分離筒４０４や、集塵ケース４０５を帯電防止樹脂剤を用いて成形したり、表面に帯電防止剤を塗布することにより、前記サイクロン分離筒４０４や、集塵ケース４０５に塵埃が付着しにくくなり、清掃回数を減らすことができる。
【００９２】
集塵部４６０をサイクロン分離筒４０４と集塵ケース４０５を一体で成形により製作する場合は、前記サイクロン分離筒４０４部は下方に型をスライドさせ、前記集塵ケース４０５部は、取っ手４２３側から第１の補助フィルター４０６側へ、リブ４５７に沿って型をスライドさせればよい。この場合、連通口４１７の下部に空間４１９が生じる。この空間４１９を掃除機本体３０１の前面側に開口がある凹部にすると、外観上いびつな形状となり、好ましくない。また、この部位は取っ手４２３付近であり、前記取っ手４２３を手で持つ場合に、持ちにくいという不具合を生じる。このため、連通口下部の空間４１９は、前記集塵部４６０の下側に開口を持つ空間４１９に構成すればよい。
【００９３】
サイクロン分離筒４０４の外筒４３５にはその空気取り入れ口である入口管４１５が、このサイクロン分離筒４０４の中心軸方向長さの中央より下部に設けられ、略円筒形をなすサイクロン分離筒４０４の略接線方向に空気が入るように設置されている。このためホース接続口部４１６を掃除機本体３０１の下方に配置することができ、ホース３０２の長さ短くすることができ、摩擦などの損失を小さくできる効果が得られる。
【００９４】
サイクロン分離筒４０４の中央より上部に連通口４１７が設けられ、集塵ケース４０５に塵埃とともに空気を流入させる。サイクロン分離筒４０４の下部には内筒４３１が設けられ、下部の排気口４２０につながっている。ここで、この排気口４２０をサイクロン分離筒の下方に設けることができるので、電動送風機までの流路を短く構成できる。このように配置したことで、掃除機本体３０１の高さを短くでき、小型軽量を達成できるとともに、摩擦などの損失を小さくできる効果が得られる。
【００９５】
【発明の効果】
本発明は、上向きに旋回流を発生させるサイクロン分離筒と、この側面に内部にフィルターを有する集塵ケースを配置して、掃除機本体に装着したことにより、小型で取り扱い易いサイクロン分離式の集塵部を実現することができる。
【００９６】
下側から空気を吸い込み、下側に排気するサイクロン分離筒と、排気の一部を集塵ケース内の下部に設けたフィルターに流すことにより、小型で塵埃捕捉（集塵）性能が高く、集塵容量の大きいサイクロン分離式の集塵部を実現することができる。
【００９７】
内筒の隔壁を螺旋状に上方に持上げているので、低風量で動作する掃除機でも、塵埃は前記サイクロン分離筒内を上昇する強い作用を与えられ、塵埃を集塵ケースへ搬送することが可能である。
【００９８】
さらに、入口管からサイクロン分離筒へ流入した空気流れの、干渉や、混合による損失を低減することができる。
【図面の簡単な説明】
【図１】本発明の一実施の形態を示す電気掃除機の外観斜視図である。
【図２】図１に示した電気掃除機における掃除機本体の斜視図である。
【図３】図１に示した電気掃除機における掃除機本体の上蓋を開いた状態を示す斜視図である。
【図４】図１に示した電気掃除機における掃除機本体の上蓋を開いて、集塵ケースを取り外した状態を示す斜視図である。
【図５】図１に示した電気掃除機における掃除機本体内の上蓋を開いて、集塵ケースとサイクロン分離筒とを取り外した状態を示す斜視図である。
【図６】掃除機本体における上ケースと上蓋を取り外した状態を示す平面図である。
【図７】空気の流れを示す模式図である。
【図８】サイクロン分離筒１０４の外観斜視図である。
【図９】集塵ケース１０５の外観斜視図である。
【図１０】図６のＡ−Ａ断面を示す断面図である。
【図１１】サイクロン分離筒１０４の入口管部分を含む断面図である。
【図１２】サイクロン分離筒１０４と集塵ケース１０５の連通口１１７を含む断面図である。
【図１３】集塵ケース１０５を排気側から見たときの側面図である。
【図１４】内筒１３１の斜視図である。
【図１５】サイクロン分離筒１０４と集塵ケース１０５が一体となったときの外観斜視図である。
【図１６】本発明の一実施の形態を示すアップライト式電気掃除機の外観斜視図である。
【図１７】図１６に示した電気掃除機における側面図である。
【図１８】サイクロン分離筒４０４と集塵ケース４０５が一体となった集塵部４６０の縦断面図である。
【図１９】集塵部４６０を掃除機本体３０１の背面側から見た図である。
【図２０】図１９のＢ−Ｂ断面を示す断面図である。
【符号の説明】
１…掃除機本体、１０１…下ケース、１０２…上蓋、１０３…集塵部、１０４…サイクロン分離筒、１０５…集塵ケース、１０６…第１の補助フィルター、１０７…電動送風機、１１２…第２の補助フィルター、１１５…入口管、１１７…連通口、１２０…排気口、１３１…内筒、１３２…隔壁、１４５…連絡通路、１４６…サイクロン部流出口、１５０…上ケース、４０４…サイクロン分離筒、４０５…集塵ケース、４０６…第１の補助フィルター、４１２…第２の補助フィルター、４１５…入口管、４１７…連通口、４２０…排気口、４３１…内筒、４３２…隔壁
【図１】
2004255119.tif 000003
【図２】
2004255119.tif 000004
【図３】
2004255119.tif 000005
【図４】
2004255119.tif 000006
【図５】
2004255119.tif 000007
【図６】
2004255119.tif 000008
【図７】
2004255119.tif 000009
【図８】
2004255119.tif 000010
【図９】
2004255119.tif 000011
【図１０】
2004255119.tif 000012
【図１１】
2004255119.tif 000013
【図１２】
2004255119.tif 000014
【図１３】
2004255119.tif 000015
【図１４】
2004255119.tif 000016
【図１５】
2004255119.tif 000017
【図１６】
2004255119.tif 000018
【図１７】
2004255119.tif 000019
【図１８】
2004255119.tif 000020
【図１９】
2004255119.tif 000021
【図２０】
2004255119.tif 000022